(57)【要約】【解決手段】最初に、底部１方向に倒される一方の相対する側壁２には、操作部Ｌ１ａとロックバーＬ１ｂとからなるロック部材Ｌ１が配設されているとともに、操作部に形成された枢支短軸１３が、最初に、底部方向に倒される一方の相対する側壁に形成されている軸受け孔２ｇ２に枢支されており、後から、底部方向に倒されるもう一方の相対する側壁とロック部材のロック状態を解除する際には、操作部が下動回動されるように構成したものである。【効果】ロック解除の際に、作業者が、ロック部材を構成する操作部を下動回動させても、操作部が傾斜するようなことがなく、従って、ロック部材を構成するロックバーによりロック解除を、確実に行うことができる。【選択図】図１２
2010215238.tif 000002
【特許請求の範囲】
【請求項１】
箱型に組み立てられた状態から、最初に、底部方向に倒される一方の相対する側壁と、該側壁に次いで、後から、底部方向に倒されるもう一方の相対する側壁とを有する折り畳みコンテナーにおいて、前記最初に、底部方向に倒される一方の相対する側壁には、操作部とロックバーとからなるロック部材が配設されているとともに、前記操作部に形成された枢支短軸が、前記最初に、底部方向に倒される一方の相対する側壁に形成されている軸受け孔に枢支されており、前記後から、底部方向に倒されるもう一方の相対する側壁と前記ロック部材のロック状態を解除する際には、前記ロック部材のロック状態から、操作部を、上下方向の何れかに回動するように構成されていることを特徴とする折り畳みコンテナー。
【発明の詳細な説明】
【技術分野】
【０００１】
本発明は、底部を囲むように配設された側壁が、底部に重なるように折り畳むことが可能な折り畳みコンテナーに関するものである。
【背景技術】
【０００２】
従来、平面形状が略長方形に形成された底部の相対する長辺部に、ヒンジ部材を介して連結された長側壁と、同じく、底部の相対する短辺部に、ヒンジ部材を介して連結された短側壁とからなり、底部に対して略垂直に長側壁と短側壁を立てることにより、箱型に組み立てられ、また、折り畳む際には、底部の上に重なるように、長側壁及び短側壁を折り畳むようにした折り畳みコンテナーが知られており、箱型に組み立てられ状態においては、長側壁或いは短側壁が、底部方向に倒れないように、互いに、ロック部材により、ロックされるように構成されている。
【０００３】
一例として、短側壁に配設されたロック部材の操作部を上下動させるとともに、操作部の上下動を、リンク機構等の適当な機構を介して、水平運動に変換することにより、棒状体を水平移動させて、棒状体の先端部を、長側壁に形成された係合部に挿入、或いは、係合部から排出させて、短側壁が、底部方向に倒れないように、互いに、ロックしたり、或いは、ロックを解除するようにした折り畳みコンテナーが、一例として、特許文献１に開示されている。
【先行技術文献】
【特許文献】
【０００４】
【特許文献１】特開２００３−４０２６３号公報
【発明の概要】
【発明が解決しようとする課題】
【０００５】
上述した従来の折り畳みコンテナーにおいては、箱型に組み立てられた折り畳みコンテナーを折り畳む際には、作業者が、操作部を下方に押すことになるが、操作部を下方に押す位置によって、操作部が水平状態で下動せずに、傾斜した状態で下動することがある。このように、操作部が傾斜した状態で、下動された場合には、操作部の左右に位置する一対の棒状体の突出量や引っ込み量が異なり、従って、ロックの解除が不確実になるという問題があった。
【０００６】
また、操作部の上下動を、複雑な機構を介して、棒状体の水平運動に変換するために、操作部の上下運動を、棒状体の水平運動へ変換する伝達ロスが大きく、従って、操作部の上下動に、大きな力を要するとともに、迅速なロック解除を行うことができないという問題があった。
【０００７】
本発明の目的は、上述した従来の折り畳みコンテナーが有する課題を解決することにある。
【課題を解決するための手段】
【０００８】
本発明は、上述した目的を達成するために、箱型に組み立てられた状態から、最初に、底部方向に倒される一方の相対する側壁と、該側壁に次いで、後から、底部方向に倒されるもう一方の相対する側壁とを有する折り畳みコンテナーにおいて、前記最初に、底部方向に倒される一方の相対する側壁には、操作部とロックバーとからなるロック部材が配設されているとともに、前記操作部に形成された枢支短軸が、前記最初に、底部方向に倒される一方の相対する側壁に形成されている軸受け孔に枢支されており、前記後から、底部方向に倒されるもう一方の相対する側壁と前記ロック部材のロック状態を解除する際には、前記ロック部材のロック状態から、前記操作部を、上下方向の何れかに回動するように構成したものである。
【発明の効果】
【０００９】
箱型に組み立てられた状態から、最初に、底部方向に倒される一方の相対する側壁と、該側壁に次いで、後から、底部方向に倒されるもう一方の相対する側壁とを有する折り畳みコンテナーにおいて、前記最初に、底部方向に倒される一方の相対する側壁には、操作部とロックバーとからなるロック部材が配設されているとともに、前記操作部に形成された枢支短軸が、前記最初に、底部方向に倒される一方の相対する側壁に形成されている軸受け孔に枢支されており、前記後から、底部方向に倒されるもう一方の相対する側壁と前記ロック部材のロック状態を解除する際には、前記ロック部材のロック状態から、前記操作部を、上下方向の何れかに回動するように構成したので、ロック解除の際に、作業者が、ロック部材を構成する操作部を上下動回動させても、操作部が傾斜するようなことがなく、従って、ロック部材を構成するロックバーによりロック解除を、確実に行うことができる。
【図面の簡単な説明】
【００１０】
【図１】図１は、本発明の折り畳みコンテナーが箱型に組み立てられた状態の斜視図である。
【図２】図２は、本発明の折り畳みコンテナーを構成する短側壁の部分斜視図である。
【図３】図３は、本発明の折り畳みコンテナーを構成する長側壁の部分斜視図である。
【図４】図４は、本発明の折り畳みコンテナーを構成する長側壁の部分拡大斜視図である。
【図５】図５は、本発明の折り畳みコンテナーを構成するロック部材の分解斜視図である。
【図６】図６は、本発明の折り畳みコンテナーを構成するロック部材の操作部の斜視図である。
【図７】図７は、同じく、本発明の折り畳みコンテナーを構成するロック部材の操作部の斜視図である。
【図８】図８は、本発明の折り畳みコンテナーを構成するロック部材のロックバーの斜視図である。
【図９】図９は、同じく、本発明の折り畳みコンテナーを構成するロック部材のロックバーの斜視図である。
【図１０】図１０は、本発明の折り畳みコンテナーを構成する長側壁とロック部材の分解斜視図である。
【図１１】図１１は、本発明の折り畳みコンテナーを構成する長側壁とロック部材の分解拡大斜視図である。
【図１２】図１２は、本発明の折り畳みコンテナーの長側壁にロック部材が組み付けられた状態の一部断面を含む部分拡大斜視図である。
【図１３】図１３は、本発明の折り畳みコンテナーの長側壁にロック部材が組み付けられた状態の部分斜視図である。
【図１４】図１４は、本発明の折り畳みコンテナーの長側壁に組み付けられたロック部材と短側壁のロック状態を説明するための部分拡大斜視図である。
【図１５】図１５は、本発明の折り畳みコンテナーの長側壁にロック部材が組み付けられた状態の部分斜視図である。
【図１６】図１６は、本発明の折り畳みコンテナーの長側壁にロック部材が組み付けられた状態の一部断面を含む部分拡大斜視図である。
【図１７】図１７は、本発明の折り畳みコンテナーの長側壁に組み付けられたロック部材と短側壁のロック解除状態を説明するための部分拡大斜視図である。
【図１８】図１８は、本発明の別の実施例の折り畳みコンテナーを構成する長側壁とロック部材の分解斜視図である。
【図１９】図１９は、図１８に示されている実施例のロック部材を構成する操作部の斜視図である。
【図２０】図２０は、図１８に示されている実施例におけるロック部材が組み付けられた状態の長側壁の板状部に垂直な部分拡大断面図である。
【図２１】図２１は、同じく、図１８に示されている実施例におけるロック部材が組み付けられた状態の長側壁の板状部に垂直な部分拡大断面図である。
【図２２】図２２は、本発明の更に別の実施例の折り畳みコンテナーを構成するロック部材の操作部の斜視図である。
【図２３】図２３は、図２２に示されている更に別の実施例のの長側壁に組み付けられたロック部材と短側壁のロック状態を説明するための部分拡大斜視図である。
【図２４】図２４は、同じく、図２２に示されている更に別の実施例のの長側壁に組み付けられたロック部材と短側壁のロック解除状態を説明するための部分拡大斜視図である。
【図２５】図２５は、本発明のなお更に別の実施例の折り畳みコンテナーを構成する長側壁の部分斜視図である。
【図２６】図２６は、図２５に示されている折り畳みコンテナーに組み付けられるロック部材の分解斜視図である。
【図２７】図２７は、図２５に示されている折り畳みコンテナーに組み付けられるロック部材を構成するロックバーの部分拡大斜視図である。
【図２８】図２８は、図２５に示されている折り畳みコンテナーに組み付けられるロック部材の部分拡大斜視図である。
【図２９】図２９は、図２５に示されている折り畳みコンテナーの長側壁の部分斜視図である。
【図３０】図３０は、図２５に示されているロック部材の変形例が組み付けられた長側壁の部分斜視図である。
【実施例】
【００１１】
以下に、本発明の実施例について説明するが、本発明の趣旨を越えない限り、何ら、本実施例に限定されるものではない。
【００１２】
本発明の折り畳みコンテナーは、図１に示されているように、底部１と、底部１の相対する長辺側土手部１ａにヒンジ連結された長側壁２Ａと、底部１の相対する短辺側土手部１ｂにヒンジ連結された短側壁３Ａとから構成されており、本実施例においては、長辺側土手部１ａの高さは、短辺側土手部１ｂの高さより低く形成されている。
【００１３】
図１に示されている箱型に組み立てられた状態から、先ず最初に、長側壁２Ａを、底部１に重なるように倒し、次いで、短側壁３Ａを、底部１に重ねられた長側壁２Ａに重なるように倒すことにより、公知のように、折り畳みコンテナーを、高さの低いコンパクトに折り畳むことができるように構成されている。このようにして折り畳まれた状態から、短側壁３Ａを、略垂直に立て、次いで、長側壁２Ａを略垂直に立てることにより、図１に示されているように、箱型に組み立てることができるように構成されている。
【００１４】
次に、図１及び図２を用いて、短側壁３Ａについて説明する。
【００１５】
短側壁３Ａは、略方形状の板状部３ａを有しており、短側壁３Ａの上端には、上端水平リブ３ｂが形成されている。また、短側壁３Ａの両垂直端には、板状部３ａに略垂直で、且つ、板状部３ａの内面（折り畳みコンテナーを箱型に組み立てた際に、箱型に組み立てられた折り畳みコンテナーの内側に位置する面）３ａ１に対して、略垂直な縦長の短側壁側係合部材３ｃが形成されている。この短側壁側係合部材３ｃを構成する、板状部３ａの内面３ａ１に対して、略垂直な縦長の帯状板（以下、端側縦長帯状板という。）３ｃ１と板状部３ａの内面３ａ１とにより形成される隅部には、縦長の略角柱状のブロック（以下、単に、隅部縦長ブロックという。）３ｄが形成されている。更に、隅部縦長ブロック３ｄの板状部３ａと平行な面３ｄ１の上端部には、相対する一対の水平凸条３ｄ２と、該水平凸条３ｄ２の端側縦長帯状板３ｃと反対側の端部を連結する垂直凸条３ｄ３が形成されており、隅部縦長ブロック３ｄの板状部３ａと平行な面３ｄ１の上端部には、端側縦長帯状板３ｃ１と相対する水平凸条３ｄ２と垂直凸条３ｄ３と上記隅部縦長ブロック３ｄの板状部３ａと平行な面３ｄ１とにより囲まれた係合凹部３ｅが形成されている。更にまた、端側縦長帯状板３ｃ１には、係合凹部３ｅを構成する相対する一対の水平凸条３ｄ２付近には、それぞれ、上下方向に、嵌合孔３ｆが形成されている。
【００１６】
次に、図１、図３及び図４を用いて、長側壁２Ａについて説明する。
【００１７】
長側壁２Ａは、横長の板状部２ａを有しており、長側壁２Ａの上端には、上端水平リブ２ｂが形成されている。また、長側壁２Ａの両垂直端には、板状部２ａ方向で、且つ、外側に延在する、略垂直な縦長の長側壁側係合部材２ｃが形成されている。長側壁側係合部材２ｃの上端部には、上下方向に所定の間隔を置いて、且つ、板状部２ａに略垂直に、板状部２ａの外面（折り畳みコンテナーを箱型に組み立てた際に、箱型に組み立てられた折り畳みコンテナーの外側に位置する面）２ａ１方向に延在する嵌合突部２ｃ１が形成されている。更に、板状部２ａの上部には、上端水平リブ２ｂと所定の間隔を置いて、上部水平リブ２ｄが、長側壁側係合部材２ｃまで延在するように形成されている。
【００１８】
上端水平リブ２ｂの中央領域と上部水平リブ２ｄの中央領域を連結するように、所定の間隔を置いて、相対する一対の中央寄り連結垂直リブ２ｅが形成されており、上端水平リブ２ｂと上部水平リブ２ｄと相対する一対の中央寄り連結垂直リブ２ｅと板状部２ａの外面２ａ１とにより、中央空間部Ａ１が形成されている。２ｆは、中央空間部Ａ１内に位置する上端水平リブ２ｂの下面と、連結垂直リブ２ｅの中央空間部Ａ１側の側面とにより形成された隅部に配設された規制部であり、規制部２ｆは、水平規制リブ２ｆ１と垂直リブ２ｆ２とにより形成されている。
【００１９】
２ｇは、規制部２ｆと上部水平リブ２ｄとの間に位置する板状部２ａの外面２ａ１に、所定の間隔をおいて、突設された相対する一対の軸枢支ブロックである。軸枢支ブロック２ｇは、角柱状のブロック本体２ｇ１を有しており、ブロック本体２ｇ１の互いに相対する垂直側面２ｇ１’と、板状部２ａの外面２ａ１に平行な外面２ｇ１”とにより形成される角部の中央部には、案内傾斜面２ｇ２が形成されているとともに、板状部２ａの外面２ａ１に近接している垂直側面２ｇ１’の中央部には、軸受け孔２ｇ３が形成されている。
【００２０】
中央空間部Ａ１の外側に位置する中央寄り連結垂直リブ２ｅの側面には、板状部２ａの外面２ａ１と上部水平リブ２ｄの上面とに連接された略角柱状の中央寄りガイドブロック２ｈが形成されている。そして、中央寄りガイドブロック２ｈと中央寄り連結垂直リブ２ｅとには、略凸状のガイド透孔Ｈ１が穿設されており、ガイド透孔Ｈ１は、板状部２ａの外面２ａ１に接するように形成された縦長の主ガイド挿通部ｈ１と、板状部２ａの外面２ａ１と対向する主ガイド挿通部ｈ１の垂直面の中央部に形成された嵌合ピン挿通部ｈ２とから構成されている。
【００２１】
２ｉは、中央寄りガイドブロック２ｈから、板状部２ａの端部垂直辺に沿って、板状部２ａに略垂直に形成された縦長な端部垂直リブ２ｊまで延在するとともに、上端水平リブ２ｂと上部水平リブ２ｄとの間に形成された中間水平リブである。また、端部垂直リブ２ｊの外側面で、且つ、長側壁側係合部材２ｃを構成する一対の嵌合突部２ｃ１間に位置する外側面には、端部ガイドブロック２ｋが形成されており、端部ガイドブロック２ｋと端部垂直リブ２ｊには、上述した中央寄りガイドブロック２ｈと中央寄り連結垂直リブ２ｅとに穿設されたと同様の略凸状のガイド透孔Ｈ１が穿設されている。
【００２２】
２ｍ、２ｎは、中間水平リブ２ｉと上部水平リブ２ｄとを連結するとともに、中央寄りガイドブロック２ｈと端部ガイドブロック２ｋとの間に形成された中間ガイドブロックであり、中間ガイドブロック２ｍ、２ｎにも、上述した中央寄りガイドブロック２ｈと中央寄り連結垂直リブ２ｅとに穿設されたと同様の略凸状のガイド透孔Ｈ１が穿設されている。なお、中間ガイドブロックは、１個とすることも、３個以上、形成することもできる。
【００２３】
なお、２ｐは、中間ガイドブロック２ｍと中央寄り連結垂直リブ２ｅとの間に位置する中間水平リブ２ｉの先端と中央寄り連結垂直リブ２ｅの先端とを連結する板状の垂直連結板であり、また、２ｑは、軽量化や材料の節約のために、中央寄りガイドブロック２ｈの上部及び前面に形成された空間部である。
【００２４】
次に、図５〜図９を用いて、操作部Ｌ１ａと一対のロックバーＬ１ｂとからなるロック部材Ｌ１について説明する。
【００２５】
先ず最初に、主として、図６及び図７を用いて、操作部Ｌ１ａについて説明する。
【００２６】
操作部Ｌ１ａは、横長な操作本体１０と、操作本体１０の両端垂直側面に連接されたカム部１１とから構成されている。操作本体１０は、棒状の上端水平梁１０ａと帯状の下端水平梁１０ｂと両端に位置する垂直端部梁１０ｃとを有している。上端水平梁１０ａと下端水平梁１０ｂとは、連結傾斜壁１０ｄにより連結されており、連結傾斜壁１０ｄの背面（ロック部材Ｌ１を、長側壁２に取り付けた際に、板状部２ａ側に位置する面）１０ｄ１は、ロック部材Ｌ１を、長側壁２に取り付けた際に、上端水平梁１０ａから下端水平梁１０ｂ方向に向かって、徐々に、長側壁２の板状部２ａ方向に接近する傾斜面として形成されている。
【００２７】
上端水平梁１０ａの垂直先端面（ロック部材Ｌ１を、長側壁２に取り付けた際に、板状部２ａから遠い側に位置する面）１０ａ１と下端水平梁１０ｂの垂直先端面（ロック部材Ｌ１を、長側壁２に取り付けた際に、板状部２ａから遠い側に位置する面）１０ｂ１と相対する垂直端部壁１０ｃの垂直先端面（ロック部材Ｌ１を、長側壁２Ａに取り付けた際に、板状部２ａから遠い側に位置する面）１０ｃ１とは、面一になるように構成されている。このように構成することにより、操作本体１０の前面（ロック部材Ｌ１を、長側壁２Ａに取り付けた際に、板状部２ａから遠い側に位置する面）には、作業者の指が、挿入可能な操作空間部Ａ２が形成されている。なお、相対する垂直端部壁１０ｃの中間に、必要に応じて、連結傾斜壁１０ｄと下端水平梁１０ｂとを連結する略三角形状の中間補強連結梁１０ｅを形成することにより、操作空間部Ａ２を区画することもできる。
【００２８】
操作本体１０の垂直端部壁１０ｃに連接されたカム部１１は、垂直端部壁１０ｃの垂直先端面１０ｃ１から垂直端部壁１０ｃの垂直背面（ロック部材Ｌ１を、長側壁２Ａに取り付けた際に、板状部２ａ側に位置する面）１０ｃ２まで延在する、円筒を略四半分としたセグメント体１１ａを有しており、セグメント体１１ａは、垂直端部壁１０ｃの垂直先端面１０ｃ１から垂直背面１０ｃ２に向かって、上方に湾曲した形状を有している。また、セグメント体１１ａの垂直端部壁１０ｃ側には、垂直端部壁１０ｃに向かうに従って下方に傾斜した傾斜面１１ｂが形成されている。また、セグメント体１１ａと傾斜面１１ｂとの略境領域で、且つ、セグメント体１１ａの内周面（ロック部材Ｌ１を、長側壁２Ａに取り付けた際に、板状部２ａ側に位置する面）１１ａ２には、垂直端部壁１０ｃと平行な区画壁１１ｃが形成されている。
【００２９】
セグメント体１１ａの内周面１１ａ２には、セグメント体１１ａの下端端１１ａ３から上端端１１ａ４に向かって、徐々に、区画壁１１ｃに接近するように形成されたカム溝１２Ａが形成されている。また、区画壁１１ｃの外側壁面（操作本体１０と反対側に位置する側面）１１ｃ１には、枢支短軸１３が突設されている。
【００３０】
また、下端水平梁１０ｂの下面には、下端水平梁１０ｂの両端部付近から、下端水平梁１０ｂの中央部方向に向かって、一対の下方に傾斜した平板状のバネ部材Ｓ１が垂設されている。
【００３１】
次に、主として、図８及び図９を用いて、ロックバーＬ１ｂについて説明する。
【００３２】
ロックバーＬ１ｂは、横長の棒状体２０を有しており、棒状体２０の前板（ロック部材Ｌ１を、長側壁２に取り付けた際に、板状部２ａから遠い側に位置する横長の帯状板板）２０ａのうち、相対する端側壁２０ｂの一方の端側壁２０ｂ近傍に位置する前板２０ａには、上述した操作部Ｌ１ａのセグメント体１１ａの内周面１１ａ２に形成されたカム溝１２Ａに嵌合される従動短軸２０ｃが突設されている。
【００３３】
なお、棒状体２０を、前板２０ａと、前板２０ａの上端から水平方向に延在する上端水平リブ２０ｄと、前板２０ａの下端から水平方向に延在する下端水平リブ２０ｅと、相対する端側壁２０ｂとにより構成し、棒状体２０の板状部２ａ側に位置する面に、空間部Ａ３を形成することにより、棒状体２０を、軽量化したり、材料を節約することができるし、また、空間部Ａ３を形成した場合の棒状体２０の補強のために、空間部Ａ３内に、適宜、縦リブ２０ｆや横リブ２０ｇを形成することができる。
【００３４】
次に、図１０〜図１３を用いて、長側壁２Ａへの操作部Ｌ１ａと一対のロックバーＬ１ｂとからなるロック部材Ｌ１の組み付けについて説明する。
【００３５】
先ず最初に、図１０に示されているように、ロック部材Ｌ１を、ロック部材Ｌ１を構成する操作部Ｌ１ａに形成された連結傾斜壁１０ｄが、長側壁２Ａに形成された中央空間部Ａ１を構成する板状部２ａの外面２ａ１と対向するように配置するとともに、一対のロックバーＬ１ｂを、長側壁側係合部材２ｃの側方に、長側壁２Ａの板状部２ａと略平行になるように配置する。この際、ロックバーＬ１ｂに形成された従動短軸２０ｃが、長側壁２Ａ側に位置するように配置する。
【００３６】
次いで、ロックバーＬ１ｂの従動短軸２０ｃ側を先にして、ロックバーＬ１ｂを、長側壁２Ａに形成された長側壁側係合部材２ｃ方向に水平移動させて、長側壁２Ａに形成された端部ガイドブロック２ｋと端部垂直リブ２ｊとに穿設されたガイド透孔Ｈ１、中間ガイドブロック２ｎ、２ｍに穿設されたガイド透孔Ｈ１、及び、中央寄りガイドブロック２ｈと中央寄り連結垂直リブ２ｅに穿設されたガイド透孔Ｈ１に挿通し、図１１に示されているように、ロックバーＬ１ｂの従動短軸２０ｃを、長側壁２Ａに形成された中央空間部Ａ１内に位置させるとともに、軸枢支ブロック２ｇ付近に位置させる。各ガイド透孔Ｈ１へのロックバーＬ１ｂの挿通の際には、ロックバーＬ１ｂの棒状体２０は、主ガイド挿通部ｈ１に挿通され、また、ロックバーＬ１ｂの従動短軸２０ｃは、嵌合ピン挿通部ｈ２に挿通されるように構成されている。
【００３７】
次いで、ロック部材Ｌ１を構成する操作部Ｌ１ａを、長側壁２Ａに形成された中央空間部Ａ１を構成する板状部２ａに接近させて、操作部Ｌ１ａの枢支短軸１３を、長側壁２Ａに形成された軸枢支ブロック２ｇに形成された案内傾斜面２ｇ２に当接させ、更に、操作部Ｌ１ａを、長側壁２Ａに形成された中央空間部Ａ１を構成する板状部２ａに接近させると、操作部Ｌ１ａの枢支短軸１３が、長側壁２Ａに形成された軸枢支ブロック２ｇの案内傾斜面２ｇ２に案内されながら、長側壁２Ａの板状部２ａに接近する方向に移動し、最終的には、操作部Ｌ１ａの枢支短軸１３が、長側壁２Ａに形成された軸枢支ブロック２ｇの軸受け孔２ｇ３に嵌合されるともに、ロック部材Ｌ１を構成するロックバーＬ１ｂの従動短軸２０ｃが、操作部Ｌ１ａのセグメント体１１ａの内周面１１ａ２に形成されたカム溝１２Ａの下端部に嵌合されるように構成されている。このようにして、図１３に示されているように、ロック部材Ｌ１が、長側壁２Ａに組み付けられることになるが、ロック部材Ｌ１が、長側壁２Ａに組み付けられた際には、操作部Ｌ１ａに形成されたバネ部材Ｓ１の先端ｓ１が、中央空間部Ａ１内に位置する上部水平リブ２ｄの上面に接近或いは当接するように構成されている。
【００３８】
上述したようにして、ロック部材Ｌ１が、長側壁２Ａに組み付けられた状態においては、ロック部材Ｌ１を構成するロックバーＬ１ｂの先端を形成する端側壁２０ｂ付近（ロックバーＬ１ｂの先端部）が、図１３に示されているように、長側壁２の端部垂直リブ２ｊを越えて突出しており、長側壁側係合部材２ｃを構成する上下方向に配置された一対の嵌合突部２ｃ１間に位置するように構成されている。なお、ロックバーＬ１ｂの先端を形成する端側壁２０ｂは、長側壁２を越えて、外側に突出しないように構成されている。このようなロック部材Ｌ１の状態を、以下、ロック部材Ｌ１のロック状態という。
【００３９】
次に、図１４〜図１７を用いて、長側壁２Ａに配設されたロック部材Ｌ１の作動について説明する。
【００４０】
折り畳みコンテナーが、図１に示されているように、箱型に組み立てられた状態においては、ロック部材Ｌ１がロック状態にあり、この状態においては、ロック部材Ｌ１を構成するロックバーＬ１ｂの先端を形成する端側壁２０ｂ付近が、図１４に示されているように、短側壁３Ａの短側壁側係合部材３ｃに形成されている係合凹部３ｅに挿入されているとともに、短側壁３Ａの短側壁側係合部材３ｃに形成されている嵌合孔３ｆに、長側壁２Ａの長側壁側係合部材２ｃに形成されている嵌合突部２ｃ１が嵌合されている。従って、折り畳みコンテナーが、箱型に組み立てられた状態においては、長側壁２Ａが、後述するように、ロック部材Ｌ１のロック状態が解除されない限り、底部１方向に、倒れないように構成されている。
【００４１】
折り畳みコンテナーを、箱型に組み立てられた状態から折り畳む際には、図１２や図１３に示されているようなロック状態にあるロック部材Ｌ１を構成する操作部Ｌ１ａの操作空間部Ａ２に指を入れて、操作部Ｌ１ａの下端水平梁１０ｂを下方に押すと、操作部Ｌ１ａは、長側壁２に形成された軸枢支ブロック２ｇの軸受け孔２ｇ３に嵌合されている操作部Ｌ１ａの枢支短軸１３を枢支点として、操作部Ｌ１ａの下端水平梁１０ｂが、上部水平リブ２ｄに接近する方向に回動することになる（以下、この回動方向を、単に、操作部Ｌ１ａの下方回動という。）。このような操作部Ｌ１ａの下方回動により、操作部Ｌ１ａに形成されているバネ部材Ｓ１は、図１６に示されているように、バネ部材Ｓ１の弾勢力に抗して、圧縮（バネ部材Ｓ１の先端ｓ１が、操作部Ｌ１ａの下端水平梁１０ｂに近接した状態で、以下、バネ部材Ｓ１の圧縮状態という。）されることになる。
【００４２】
上述したように、操作部Ｌ１ａを下方回動させると、操作部Ｌ１ａに形成されたカム溝１２Ａの下端部に嵌合されているロックバーＬ１ｂの従動短軸２０ｃが、カム溝１２Ａに従動して、カム溝１２Ａの上端部に移動することになり、従って、一対のロックバーＬ１ｂは、互いに接近する方向に移動することになる。
【００４３】
上述したように、操作部Ｌ１ａを下方回動させて、一対のロックバーＬ１ｂを、互いに接近する方向に移動させると、ロックバーＬ１ｂの先端部は、図１４に示されているような、短側壁３Ａの短側壁側係合部材３ｃに形成されている係合凹部３ｅに挿入されている状態から、図１７に示されているように、係合凹部３ｅから排出された状態になる。従って、箱型に組み立てられた状態から後に倒される短側壁３Ａに対する、箱型に組み立てられた状態から先に倒される長側壁２Ａのロック部材Ｌ１によるロック状態が解除されて、長側壁２Ａを、底部１方向に倒すことができる。次いで、短側壁３Ａを、底部１方向に倒すことにより、折り畳みコンテナーを折り畳むことができる。
【００４４】
なお、上述したように、ロック部材Ｌ１を介しての長側壁２Ａと短側壁３Ａのロック状態が解除された際には、圧縮状態のバネ部材Ｓ１は、該バネ部材Ｓ１の弾性復元力により、操作部Ｌ１ａは、長側壁２Ａに形成された軸枢支ブロック２ｇの軸受け孔２ｇ３に嵌合されている操作部Ｌ１ａの枢支短軸１３を枢支点として、操作部Ｌ１ａの上端水平梁１０ａが、上端水平リブ２ｂに接近する方向に回動することになる（以下、この回動方向を、単に、操作部Ｌ１ａの上方回動という。）。
【００４５】
上述したように、ロック部材Ｌ１を介しての長側壁２Ａと短側壁３Ａのロック及びロック解除を、長側壁２Ａに形成された軸枢支ブロック２ｇの軸受け孔２ｇ３に嵌合されている操作部Ｌ１ａの枢支短軸１３を枢支点として、操作部Ｌ１ａの下方回動（長側壁２Ａと短側壁３Ａのロック解除）、或いは、操作部Ｌ１ａの上方回動（長側壁２Ａと短側壁３Ａのロック）により行うように構成したので、ロック解除の際に、作業者が、操作空間部Ａ２に位置する操作部Ｌ１ａの下端水平梁１０ｂの垂直端部梁１０ｃ側に位置する個所を押しても、操作部Ｌ１ａが傾斜するようなことがなく、ひいては、操作部Ｌ１ａの下方回動により後退する（長側壁２Ａの中央部方向に移動する。）一対のロックバーＬ１ｂの水平移動が同時に、且つ、確実に行われるので、長側壁２Ａの両端部に配設された長側壁側係合部材２ｃと短側壁３の両端部に配設された短側壁側係合部材３ｃとのロック部材Ｌ１を介してのロック解除を、確実に行うことができる。従って、一方のロックバーＬ１ｂが、短側壁３の一方の短側壁側係合部材３ｃの係合凹部３ｅから排出されずに、長側壁２Ａを、底部１方向に倒すことができないというような、従来の折り畳みコンテナーが有する課題を解決することができる。
【００４６】
また、バネ部材Ｓ１の弾性復元力により、操作部Ｌ１ａが上方回動する際にも、操作部Ｌ１ａの上方回動により進出する（長側壁２Ａの端部垂直リブ２ｊ方向に移動する。）一対のロックバーＬ１ｂの水平移動が同時に、且つ、確実に行われることになる。
【００４７】
次に、図１８〜図２１を用いて、本発明の別の実施例について説明する。
【００４８】
この実施例は、上述した実施例における操作部Ｌ１ａを構成する操作本体１０の下端水平梁１０ｂの下面に垂設された平板状のバネ部材Ｓ１に代えて、コイル状のバネ部材（以下、単に、コイルバネという。）Ｓ２を用いたものである。また、このようなコイル状のバネ部材Ｓ２を使用するために、操作部Ｌ１ａには、以下のような変更が行われている。
【００４９】
図１９に示されているように、本実施例においては、上述したように、先の実施例における操作部Ｌ１ａを構成する操作本体１０の下端水平梁１０ｂに垂設された平板状のバネ部材Ｓ１は、省略されている。本実施例においては、操作本体１０の区画壁１１ｃと下端水平梁１０ｂとにより形成される隅部には、コイルバネ支持板１４が形成されており、また、コイルバネ支持板１４の背面（ロック部材Ｌ１を、長側壁２に取り付けた際に、板状部２ａ側に位置する面）１４ａには、コイルバネＳ２の一方の端部が挿入されるコイルバネ支持ピン１４ａが突設されている。
【００５０】
図１８に示されているように、コイルバネＳ２の一方の端部を、コイルバネ支持ピン１４ａに挿入した後、上述した実施例と同様に、ロック部材Ｌ１を構成する操作部Ｌ１ａを、長側壁２に形成された中央空間部Ａ１を構成する板状部２ａの外面２ａ１と対向するように配置し、その後、操作部Ｌ１ａを、長側壁２Ａ方向に近づけることにより、上述した実施例と同様に、操作部Ｌ１ａを、長側壁２Ａに組み付ける。
【００５１】
図２０に示されているように、ロック部材Ｌ１のロック状態においては、コイルバネＳ２は、伸張された状態にある。また、ロックを解除するために、操作部Ｌ１ａを下方回動させた際には、図２１に示されているように、コイルバネＳ２は、圧縮された状態になり、操作部Ｌ１ａから手を離した際には、コイルバネＳ２の復元力により、操作部Ｌ１ａが上方回動されることになる。
【００５２】
次に、図２２〜図２４を用いて、本発明の他の実施例について説明する。
【００５３】
上述した実施例においては、図１９に示されているように、ロック部材Ｌ１を構成するロック部材Ｌ１のセグメント体１１ａの内周面１１ａ２に形成されたカム溝１２Ａが、セグメント体１１ａの下端端１１ａ３から上端端１１ａ４に向かって、徐々に、区画壁１１ｃに接近するように形成されているが、本実施例のカム溝１２Ｂは、セグメント体１１ａの下端端１１ａ３から上端端１１ａ４に向かって、徐々に、区画壁１１ｃから離反するように形成されている。
【００５４】
また、操作部Ｌ１ａが上方回動された状態においては、上述した実施例と同様に、ロック部材Ｌ１を構成するロックバーＬ１ｂの従動短軸２０ｃが、操作部Ｌ１ａのセグメント体１１ａの内周面１１ａ２に形成されたカム溝１２Ｂの下端部に嵌合されるように構成されている。この状態から、操作部Ｌ１ａを下方回動させると、ロックバーＬ１ｂの従動短軸２０ｃは、カム溝１２Ｂの上端部に移動することになり、従って、一対のロックバーＬ１ｂは、互いに離反する方向に移動することになる。
【００５５】
このような構成は、図２３に示されているように、短側壁３Ｂの板状部３ａに、先端に突部ｅ１が突設されている弾性片Ｅ１が形成されているタイプの折り畳みコンテナーに適用することができる。このようなタイプの折り畳みコンテナーは、公知（例えば、特開２００４−５１１９９号公報）であるので、折り畳みコンテナー自体の構成については省略する。
【００５６】
図２３に示されているように、操作部Ｌ１ａが上方回動された状態（ロック状態）においては、一対のロックバーＬ１ｂは、弾性片Ｅ１に当接しないように構成されている。また、操作部Ｌ１ａが下動回動された状態においては、一対のロックバーＬ１ｂは、互いに離反する方向に移動し、ロックバーＬ１ｂの先端を形成する端側壁２０ｂが、弾性片Ｅ１に当接し、図２４に示されているように、弾性片Ｅ１を、外側に弾性変形させて、箱型に組み立てられた折り畳みコンテナー状態において、短側壁３Ｂの短側壁側係合部材３ｃと弾性片Ｅ１の突部ｅ１との間に配置された長側壁２Ａの長側壁側係合部材２ｃに形成された係止片（図示されていない。）の弾性片Ｅ１によるロック状態を解除し、長側壁２Ａが、底部１方向に倒れることができることになる。
【００５７】
次に、図２５〜図２９を用いて、更に他の実施例について説明する。
【００５８】
長側壁２Ｂは、上述した実施例における板状部２ａと同様の板状部２００ａを有しており、長側壁２Ｂの上端には、上述した実施例における上端水平リブ２ｂと同様の上端水平リブ２００ｂが形成されている。また、長側壁２Ｂの両垂直端には、板状部２００ａ方向で、且つ、上述した実施例における端部垂直リブ２ｊと同様の端部垂直リブ２００ｊを越えて外側に延在する、略垂直な縦長の長側壁側係合部材２００ｃが形成されている。長側壁側係合部材２００ｃの上端部には、上下方向に所定の間隔を置いて、且つ、板状部２００ａに略垂直に、板状部２００ａの外面（折り畳みコンテナーを箱型に組み立てた際に、箱型に組み立てられた折り畳みコンテナーの外側に位置する面）２００ａ１方向に延在する嵌合突部２０ｃ１が形成されている。更に、板状部２００ａの上部には、上端水平リブ２００ｂと所定の間隔を置いて、上部水平リブ２００ｄが、端部垂直リブ２００ｊを連結するように形成されている。
【００５９】
上端水平リブ２００ｂの中央領域と上部水平リブ２００ｄの中央領域を連結するように、所定の間隔を置いて、相対する一対の中央寄り連結垂直リブ２００ｅが形成されており、上端水平リブ２００ｂと上部水平リブ２００ｄと相対する一対の中央寄り連結垂直リブ２００ｅと板状部２００ａの外面２００ａ１とにより、中央空間部Ａ１０が形成されている。
【００６０】
中央寄り連結垂直リブ２００ｅには、後述するロック部材Ｌ１００を構成するロックバーＬ１００ｂの梃子支点となる梃子用スリット２００ｅ１が穿設されている。
【００６１】
また、中央寄り連結垂直リブ２００ｅより、端部垂直リブ２００ｊ側には、上端水平リブ２００ｂと上部水平リブ２００ｄとを連結する中間端部側連結垂直リブ２００ｍが形成されており、中間端部側連結垂直リブ２００ｍには、後述するロック部材Ｌ１００を構成するロックバーＬ１００ｂが、上下動することができるようなスリット２００ｍ１が穿設されている。
【００６２】
更に、端部垂直リブ２００ｊの上端部にも、後述するロック部材Ｌ１００を構成するロックバーＬ１００ｂが、上下動することができるようなスリット２００ｊ１が穿設されている。
【００６３】
次に、図２６及び図２７を用いて、操作部Ｌ１００ａとロックバーＬ１００ｂとからなるロック部材Ｌ１００について説明する。
【００６４】
操作部Ｌ１００ａは、略板状で長方形の板状基部１００ａと、板状基部１００ａの下面で、且つ、板状基部１００ａの長辺側端面１００ａ１に沿って、所定の間隔を置いて、垂設された一対の操作棒１００ｂとを有している。操作棒１００ｂは、板状基部１００ａの下面に連接された柱状部１００ｂ１と、柱状部１００ｂ１の先端に形成された、略球状の操作端部１００ｂ２とを有しており、操作端部１００ｂ２の外径は、柱状部１００ｂ１の太さより、大きく形成されている。また、板状基部１００ａの相対する短辺側端面１００ａ２には、枢支短軸１００ａ３が突設されている。
【００６５】
ロックバーＬ１００ｂは、略偏平状の角柱状のブロック基部１００ｃと、ブロック基部１００ｃの相対する短辺垂直面１００ｃ１のうち、一方の短辺垂直面１００ｃ１に連結された、垂直な平板状の操作板部１００ｄとから構成されている。また、ブロック基部１００ｃの下面には、操作板部１００ｄ方向に傾斜した平板状のバネ部材Ｓ１０が垂設されている。
【００６６】
ブロック基部１００ｃの操作板部１００ｄと反対側に位置する上部には、ブロック基部１００ｃの相対する長辺垂直面１００ｃ２のうち、一方の長辺垂直面１００ｃ２から、もう一方の長辺垂直面１００ｃ２に向かって、且つ、もう一方の長辺垂直面１００ｃ２まで達しないカム溝１００ｅが形成されている。なお、カム溝１００ｅは、ブロック基部１００ｃの短辺垂直面１００ｃ１に平行に形成されている。
【００６７】
カム溝１００ｅは、図２７に示されているように、カム溝１００ｅの下部に形成された、操作棒１００ｂの操作端部１００ｂ２が嵌合可能な操作端部嵌合用部１００ｅ１と、カム溝１００ｅの上部に形成された、操作棒１００ｂの柱状部１００ｂ１が、嵌合され、且つ、案内される柱状部嵌合用部１００ｅ２とから構成されており、カム溝１００ｅの長辺垂直面１００ｃ２から見た形状は、凸条に形成されている。
【００６８】
また、長側壁２Ｂの上端水平リブ２００ｂの下面の中央領域には、所定の間隔を置いて、上端水平リブ２００ｂの長手方向と直交する支持片２００ｆが垂下されており、支持片２００ｆの相対する対向面には、上述した操作部Ｌ１００ａに突設された枢支短軸１００ａ３が嵌合され、枢支される枢支孔２００ｆが形成されている。
【００６９】
長側壁２Ｂに、上述したロック部材Ｌ１００を組み付けるには、先ず最初に、中央寄り連結垂直リブ２００ｅ側から、ロックバーＬ１００ｂを構成する平板状の操作板部１００ｄを、中央寄り連結垂直リブ２００ｅに穿設された梃子用スリット２００ｅ１に挿通し、その後、中間端部側連結垂直リブ２００ｍに穿設されたスリット２００ｍ１に挿通し、更に、端部垂直リブ２００ｊの穿設されたスリット２００ｊ１に挿通する。このようにして、ロックバーＬ１００ｂを構成する平板状の操作板部１００ｄを、中央寄り連結垂直リブ２００ｅに穿設された梃子用スリット２００ｅ１に挿通し、また、中間端部側連結垂直リブ２００ｍに穿設されたスリット２００ｍ１に挿通し、更に、端部垂直リブ２００ｊの穿設されたスリット２００ｊ１に挿通することにより、一対のロック部材Ｌ１００を構成するブロック基部１００ｃが、上端水平リブ２００ｂと上部水平リブ２００ｄと相対する一対の中央寄り連結垂直リブ２００ｅと板状部２００ａの外面２００ａ１とにより形成された中央空間部Ａ１０に配置されることになる。なお、この状態においては、バネ部材Ｓ１０の先端が、上部水平リブ２００ｄに、当接或いは接近して位置するように構成されている。
【００７０】
次いで、操作部Ｌ１００ａを、中央空間部Ａ１０に位置する長側壁２Ｂの板状部２００の外面２００ａ１に向かって、接近させることにより、操作部Ｌ１００ａを構成する操作棒１００ｂの操作端部１００ｂ２を、ロックバーＬ１００ｂの操作端部嵌合用部１００ｅ１に嵌合するとともに、操作部Ｌ１００ａを構成する操作棒１００ｂの柱状部１００ｂ１を、柱状部嵌合用部１００ｅ２に挿入する。このようにして、長側壁２Ｂに、ロック部材Ｌ１００が組み付けられることになる。このように、長側壁２Ｂに、ロック部材Ｌ１００が組み付けられ際には、操作部Ｌ１００ａを構成する操作棒１００ｂが、カム溝１００ｅの開口部側に位置するように構成されているとともに、操作部Ｌ１００ａの板状基部１００ａの相対する短辺側端面１００ａ２に突設された枢支短軸１００ａ３が、長側壁２Ｂの上端水平リブ２００ｂの下面に、所定の間隔を置いて垂下された支持片２００ｆの相対する対向面に形成された枢支孔２００ｆに嵌合されるように構成されている。
【００７１】
上述したように、長側壁２Ｂに、ロック部材Ｌ１００が組み付けられ際には、ロック部材Ｌ１００を構成するロックバーＬ１００ｂの操作端部１００ｂ２が、カム溝１００ｅを構成する操作端部嵌合用部１００ｅ１の底面１００ｅ１’に、当接、或いは、近接して位置するように構成されている。また、ロック部材Ｌ１００のロックバーＬ１００ｂを構成する操作板部１００ｄが、図２５や図２８に示されているように、略水平状態に保持されており、この状態においては、バネ部材Ｓ１０の先端が、上部水平リブ２００ｄに、当接或いは接近して位置するように構成されている。
【００７２】
上述した状態は、ロック部材Ｌ１００のロックバーＬ１００ｂが、短側壁３の短側壁側係合部材３ｃに形成された係止部（図示されていない。）に係止されているロック状態である。
【００７３】
長側壁２と短側壁３のロック部材Ｌ１００によるロック状態を解除する際には、ロック部材Ｌ１００を構成する操作部Ｌ１００ａを、上述した実施例と同様に、上動回動状態（ロック状態）にある操作部Ｌ１００ａを、長側壁２Ｂに形成された支持片２００ｆに形成された枢支孔２００ｆと該枢支孔２００ｆに嵌合され操作部Ｌ１００ａの枢支短軸１００ａ３を枢支点として下動回動することになる。
【００７４】
上述したように、ロック部材Ｌ１００を構成する操作部Ｌ１００ａを、下動回動させると、操作部Ｌ１００ａを構成する操作棒１００ｂが、長側壁２の板状部２ａ方向に移動し、図２９に示されているように、ロックバーＬ１００ｂを、中央寄り連結垂直リブ２００ｅに穿設された梃子支点となる梃子用スリット２００ｅ１を形成する水平下端を、梃子支点として、ロックバーＬ１００ｂの先端部が、上動することになる。
【００７５】
上述したように、ロックバーＬ１００ｂの先端部を、上動させることにより、箱型に組み立てられた折り畳みコンテナー状態において、短側壁３Ａの短側壁側係合部材３ｃに形成されている係止片（図示されていない。）と、長側壁２Ｂの長側壁側係合部材２ｃに形成された係止片（図示されていない。）とによるロック状態を解除し、長側壁２Ｂが、底部１方向に倒れることができることになる。なお、このようなタイプの折り畳みコンテナーは、公知（例えば、特開２００３−４０２６３号公報）であるので、折り畳みコンテナー自体の構成については省略する。
【００７６】
図３０に示されている実施例は、上述した実施例における一対のロックバーＬ１００ｂを一体としたものである。このように構成した際には、操作部Ｌ１００ａを、下動回動状態させることにより、ロックバーＬ１００ｂが、上部水平リブ２００ｄとの平行状態を維持したまま下降することになる。従って、中央寄り連結垂直リブ２００ｅには、中間端部側連結垂直リブ２００ｍに形成されたスリット２００ｍ１や端部垂直リブ２００ｊに形成されたスリット２００ｊ１と同様のロックバーＬ１００ｂが、上下動することができるようなスリット２００ｅ２が穿設されることになる。
【００７７】
なお、上述した実施例には、操作部Ｌ１ａ、Ｌ１００ａを、下方回動させた際には、長側壁２Ａと短側壁３Ａとのロック解除され、また、操作部Ｌ１ａ、Ｌ１００ａが、上方回動された状態おいては、長側壁２Ａと短側壁３Ａとがロック状態にあるように構成されているが、操作部Ｌ１ａ、Ｌ１００ａを、上方回動させた際には、長側壁２Ａと短側壁３Ａとのロック解除され、また、操作部Ｌ１ａ、Ｌ１００ａが、下方回動された状態おいては、長側壁２Ａと短側壁３Ａとがロック状態にあるように構成することもできる。
【符号の説明】
【００７８】
Ａ１・・・・・・・・・・・・・・・中央空間部
Ｌ１、Ｌ１００Ｈ１〜Ｈ３・・・・・ロック部材
Ｌ１ａ、Ｌ１００ａ・・・・・・・・操作部材
Ｌ１ｂ、Ｌ１００ｂ・・・・・・・・ロックバー
Ｓ１、Ｓ２、Ｓ１０・・・・・・・・バネ部材
１・・・・・・・・・・・・・・・・底部
２Ａ、２Ｂ・・・・・・・・・・・・長側壁
２ｃ・・・・・・・・・・・・・・・長側壁側係合部材
３Ａ、３Ｂ・・・・・・・・・・・・短側壁
３ｃ・・・・・・・・・・・・・・・短側壁側係合部材
【図１】
2010215238.tif 000003
【図２】
2010215238.tif 000004
【図３】
2010215238.tif 000005
【図４】
2010215238.tif 000006
【図５】
2010215238.tif 000007
【図６】
2010215238.tif 000008
【図７】
2010215238.tif 000009
【図８】
2010215238.tif 000010
【図９】
2010215238.tif 000011
【図１０】
2010215238.tif 000012
【図１１】
2010215238.tif 000013
【図１２】
2010215238.tif 000014
【図１３】
2010215238.tif 000015
【図１４】
2010215238.tif 000016
【図１５】
2010215238.tif 000017
【図１６】
2010215238.tif 000018
【図１７】
2010215238.tif 000019
【図１８】
2010215238.tif 000020
【図１９】
2010215238.tif 000021
【図２０】
2010215238.tif 000022
【図２１】
2010215238.tif 000023
【図２２】
2010215238.tif 000024
【図２３】
2010215238.tif 000025
【図２４】
2010215238.tif 000026
【図２５】
2010215238.tif 000027
【図２６】
2010215238.tif 000028
【図２７】
2010215238.tif 000029
【図２８】
2010215238.tif 000030
【図２９】
2010215238.tif 000031
【図３０】
2010215238.tif 000032